(57)【特許請求の範囲】
【請求項１】
太陽電池モジュールと、
該太陽電池モジュールが配置された浮体とを備え、
該浮体は、
前記太陽電池モジュールが配置された上面と、
該上面の裏側に位置して水に接触するとともに前記上面側に向かって窪んだ下面と、
前記上面で開口している第１開口部および前記下面で開口している第２開口部を有する貫通部と、
該貫通部につながらない中空部と、
前記第１開口部を塞ぐように配置され、前記下面側から前記上面側に向かって前記貫通部内を移動する気体の通過を許容するとともに前記上面側から前記下面側に向かって前記貫通部内を移動する気体の通過を妨げる逆止弁とを具備する、水上用太陽電池装置。
【請求項２】
前記上面は、前記太陽電池モジュールが配置された第１上面と、該第１上面よりも前記下面側に位置するとともに、前記太陽電池モジュールから離れて位置する第２上面とを有しており、前記第１開口部は前記第２上面で開口している、請求項１に記載の水上用太陽電池装置。
【請求項３】
前記浮体は、前記下面の外周側に位置する部分が下方に向かって幅が小さくなっている、中空の脚部を有する、請求項１または請求項２に記載の水上用太陽電池装置。
【請求項４】
前記太陽電池モジュールの質量と前記浮体の質量との合計値が、
前記貫通部よりも下方側に位置する前記浮体の体積および前記貫通部よりも下方側に位置する前記中空部の容積の合計値と水の比重との積から得られる値よりも大きく、
前記浮体全体の体積および前記中空部全体の容積の合計値と水の比重との積から得られる値よりも小さい、請求項１乃至請求項３のいずれかに記載の水上用太陽電池装置。
【発明の詳細な説明】
【技術分野】
【０００１】  本発明は、水上用太陽電池装置に関する。
【背景技術】
【０００２】  近年の環境保護の機運の高まりに伴い、環境負荷の少ない太陽電池装置の普及が進んでいる。太陽電池装置の種類の一つとして、水上に設置する水上用太陽電池装置がある。【０００３】  水上用太陽電池装置は、浮体上に太陽電池モジュールを取り付けた構造である。このような水上用太陽電池装置は、広い用地を確保しやすいダム湖または池などの水上に設置できることから注目を集めている。水上用太陽電池装置では、例えば、風などの影響に対する安定性が求められる。このため、例えば、浮体の浮力を任意に調整することで水面から露出する高さを小さくし、風の影響を低減する水上用太陽電池装置が提案されている（特開２００７−１１８９２５号公報を参照）。
【発明の概要】
【０００４】  上記の水上用太陽電池装置では、浮体の喫水線よりも下側に位置する空間に送り込む空気量を制御することによって、喫水線の位置を変化させている。よって、このような水上用太陽電池装置では、上記の空気量を制御するためのエアポンプのような装置が必須となる。しかしながら、エアポンプのような装置は、一般的に構成部品が多いので、定期的にメンテナンスを要する。
【０００５】  本発明の１つの目的は、簡素な構造で風などに対する安定性を高められるとともに、メンテナンス頻度を低減できる水上用太陽電池装置を提供することである。
【０００６】
本発明の一実施形態に係る水上用太陽電池装置は、太陽電池モジュールと、該太陽電池モジュールが配置された浮体とを備え、該浮体は、前記太陽電池モジュールが配置された上面と、該上面の裏側に位置して水に接触するとともに前記上面側に向かって窪んだ下面と、前記上面で開口している第１開口部および前記下面で開口している第２開口部を有する貫通部と、該貫通部につながらない中空部と、前記第１開口部を塞ぐように配置され、前記下面側から前記上面側に向かって前記貫通部内を移動する気体の通過を許容するとともに前記上面側から前記下面側に向かって前記貫通部内を移動する気体の通過を妨げる逆止弁とを具備する。
【０００７】  本実施形態では、簡素な構造で風などに対する安定性を高めることができて、メンテナンスの頻度を低減できる。
【図面の簡単な説明】
【０００８】
【図１】図１は、本発明の一実施形態に係る水上用太陽電池装置を説明する図であり、図１（ａ）は斜視図、図１（ｂ）は側面図、図１（ｃ）は正面図である。
【図２】図２は、本発明の一実施形態に係る水上用太陽電池装置を説明する図であり、図２（ａ）は水面Ｐに浮かべた水上用太陽電池装置を、図１（ａ）のＡ−Ａ’線で切断した様子を示す端面図、図２（ｂ）は図１（ａ）のＢ−Ｂ’線で切断した様子を示す端面図である。
【図３】図３は、本発明の一実施形態に係る水上用太陽電池装置における太陽電池モジュールを説明する図であり、図３（ａ）は受光面側から見た平面図、図３（ｂ）は図３（ａ）をＣ−Ｃ’線で切断した様子を示す端面図である。
【図４】図４は、本発明の一実施形態に係る水上用太陽電池装置を説明する図であり、浮体の凹部に空気が入った時に喫水が浅くなる様子を示すモデル図である。
【図５】図５は、本発明の一実施形態に係る水上用太陽電池装置を説明する図であり、水上用太陽電池装置を持ち上げようとする外力が加わった時の様子を示すモデル図である。
【図６】図６は、本発明の他の実施形態に係る水上用太陽電池装置を説明する、図２（ｂ）に相当する端面図であり、図６（ａ）は水上用太陽電池装置が水面に対して傾いた様子を示す端面図、図６（ｂ）は水上用太陽電池装置が図６（ａ）の状態から元の状態に復元した様子を示す端面図である。
【図７】図７は、本発明の他の実施形態に係る水上用太陽電池装置を説明する図であり、図７（ａ）は図１（ａ）に相当する斜視図であり、図７（ｂ）は図７（ａ）のＤ−Ｄ’線で切断した様子を示す端面図であり、図７（ｃ）は連結部材の側面図である。
【図８】図８は、本発明の他の実施形態に係る水上用太陽電池装置を説明する図であり、２台の図７（ａ）に示す水上用太陽電池装置を連結部材で連結した様子を、図７（ｂ）に相当する端面から見た端面図である。
【発明を実施するための形態】
【０００９】  以下、本発明の一実施形態に係る水上用太陽電池装置１について、図面を参照しつつ詳細に説明する。なお、図面は模式的に示したものである。以下の説明では、水上用太陽電池装置１を構成する太陽電池モジュール２の水面Ｐに対して平行な１辺に沿う方向をＸ軸方向とし、Ｘ軸方向に直交し水面Ｐに平行な方向をＹ軸方向とし、Ｘ軸方向とＹ軸方向に直交する方向をＺ軸方向とした、左手系の座標軸で説明する。Ｚ軸方向は鉛直方向に相当する。また、Ｚ軸方向のうち重力に逆らう方向を＋Ｚ軸方向または上とし、重力に従う方向を−Ｚ軸方向または下とする。また、傾斜して設置された太陽電池モジュール２の下方を下端側といい、上方を上端側という。
【００１０】  ＜＜第１実施形態＞＞  図１および図２に示すように、水上用太陽電池装置１は、太陽電池モジュール２と、太陽電池モジュール２を取り付ける浮体３とを備えている。水上用太陽電池装置１は、浮体３を水面Ｐに浮かべて設置される。次に、水上用太陽電池装置１の構成について詳細に説明する。
【００１１】  ＜浮体＞  浮体３は、例えば直方体に凹部および凸部を設けた形状である。浮体３は、内部に中空部３ａを有する。浮体３は、上面３ｂと、上面３ｂの裏側に位置する下面３ｃとを有する。上面３ｂには太陽電池モジュール２が配置される。また、上面部３ｂには、上面３ｂの一端部に第１凸部３ｄと、上面３ｂの他端部に第１凸部３ｄよりも＋Ｚ軸方向側に高い第２凸部３ｅとが設けられている。これにより、太陽電池モジュール２は、浮体３の上面３ｂ上において、水平方向に対して傾斜するように配置される。第１凸部３ｄは太陽電池モジュール２の下端側２ａを支持し、第２凸部３ｅは太陽電池モジュール２の上端側２ｂを支持する。また、上面３ｂは、太陽電池モジュール２が配置された第１凸部３ｄおよび第２凸部３ｅの上方の面を含む第１上面３ｂ１と、太陽電池モジュール２から離れて第１上面３ｂ１よりも下面３ｃ側に位置する部分を第２上面３ｂ２と、を有する。
【００１２】  浮体３の下面３ｃは、水に接触するとともに上面３ｂ側に向かって窪んでいる。よって、下面３ｃは凹部３ｃ１を有している。また、浮体３は、第２上面３ｂ２に開口する第１開口部３ｇと、下面３ｃの凹部３ｃ１の奥側（凹部３ｃ１の底面側）で開口する第２開口部３ｈとを有している。第１開口部３ｇと第２開口部３ｈとは貫通部３ｉでつながっている。貫通部３ｉは、その全長に渡って同じ断面積である必要はなく、断面積が変化していてもよい。その場合、第２開口部３ｈは、凹部３ｃ１から開口径が急に小さくなる境目に位置する部位となる。
【００１３】  一方、中空部３ａは、図２に示すように、貫通部３ｉにつながっていないため、貫通部３ｉとはつながっていない。また、第１開口部３ｇは、第２上面３ｂ２に位置しているため、太陽電池モジュール２の裏面に接触していない。
【００１４】  浮体３の中空部３ａの容積は、水上用太陽電池装置１を水面Ｐに浮かべたときに、第２上面３ｂ２が喫水線よりも上の高さとなる浮力を得られる大きさにすればよい。このとき、太陽電池モジュール２の質量と浮体３の質量との合計値は、浮体３全体の体積および中空部３ａ全体の容積の合計値と水の比重との積から得られる値よりも小さくすればよい。これにより、浮体３が水中へ沈み過ぎないようにできる。
【００１５】  さらに、水上用太陽電池装置１は、喫水線が第１開口部３ｇと第２開口部３ｈとの間に位置する浮力を得られるような中空部３ａを設けるとよい。このように、水上用太陽電池装置１の喫水線を第１開口部３ｇと第２開口部３ｈとの間に位置させるためには、太陽電池モジュール２の質量と浮体３の質量との合計値は、水の比重と、貫通部３ｉの第２開口部３ｈよりも下方側に位置する浮体３の体積および貫通部３ｉの第２開口部３ｈよりも下方側に位置する中空部３ａの容積の合計値との積から得られる値よりも大きくすればよい。
【００１６】  また、水上用太陽電池装置１において、太陽電池モジュール２の質量と浮体３の質量との合計値は、水の比重と、第１開口部３ｇよりも下方側に位置する浮体３の体積および中空部３ａの容積の合計値との積から得られる値よりも小さくするとよい。このような水上用太陽電池装置１では、太陽電池モジュール２が水に浸されないようにするとともに、凹部３ｃ１内の水の重量を可能な限り多くすることができる。その結果、水上用太陽電池装置１の水面Ｐ上における安定性をさらに高めることができる。
【００１７】  浮体３は、水、紫外線および外力に対する強度をもつポリエチレン、ポリプロピレンまたは繊維強化プラスチック（ＦＲＰ：Fiber Reinforced Plastics）等を用いて形成するとよい。例えば、浮体３がポリエチレンで形成される場合には、その厚みは５〜２０ｍｍ程度である。また、浮体３の大きさは、浮体３上に配置する太陽電池モジュール２の質量および大きさを考慮して決定すればよいが、例えば縦１．３〜１．５ｍ、幅１〜１．２ｍ、高さ０．５〜１ｍ程度にするとよい。
【００１８】  ＜逆止弁＞  逆止弁４は、少なくとも浮体３の第１開口部３ｇを覆うように設けられている。逆止弁４は、第１開口部３ｇよりも大きい板状の弁体４ａと、弁体４ａの一端を第１開口部３ｇの近傍に固定する固定部材４ｂとからなる。逆止弁４は、弁体４ａが撓むことによって、浮体３の下面３ｃ側の空間（凹部３ｃ１）にある気体が貫通部３ｉ内を通過（移動）して上面３ｂ側の空間に移動することを許容する。一方、逆止弁４は、浮体３の上面３ｂ側の空間から下面３ｃ側の空間に向かって貫通部３ｉ内を移動する気体の通過を妨げる。この場合、弁体４ａは、第１開口部３ｇを塞ぐようになる。
【００１９】  逆止弁４の弁体４ａには、例えば、シリコーンゴムまたはポリプロピレンなど弾性率の低い樹脂からなる板材を用いることができる。また、逆止弁４の固定部材４ｂには、例えばネジ等を用いることができる。
【００２０】  ＜係止部材＞  太陽電池モジュール２は、係止部材５を用いて浮体３に固定される。具体的には、太陽電池モジュール２は、例えば浮体３の側面３ｆから張り出した鉤状部３ｆ１と、後述する太陽電池モジュール２のフレーム部材１２とを係止部材５で接続することによって固定される。このような係止部材５は、例えばステンレスをプレス成形したり、アルミニウム合金を押出成形することによって形成できる。
【００２１】  ＜太陽電池モジュール＞  図３に示すように、太陽電池モジュール２は、太陽電池パネル１１と、この太陽電池パネル１１の外縁部を補強するフレーム部材１２とを有している。
【００２２】  図３（ｂ）に示すように、太陽電池パネル１１は、主として光を受光する第１主面（受光面）１１ａ（透光性基板１３の一主面）と、この第１主面１１ａの裏面に相当する第２主面（非受光面）１１ｂ（裏面保護部材１７の一主面）とを有している。そして、太陽電池パネル１１は、第１主面１１ａ側から順に、太陽電池モジュール１０の基板を兼ねる透光性基板１３と、熱硬化性樹脂からなる一対の封止材１４と、インナーリード１５によって電気的に接続された複数の太陽電池素子１６とを備えている。
【００２３】  さらに、太陽電池パネル１１は、太陽電池モジュール１０の裏面を保護する裏面保護部材１７と、太陽電池素子１６で得られた出力を外部に取り出すための端子ボックス１８とを備えている。
【００２４】  なお、太陽電池パネル１１の第２主面１１ｂは、例えば、太陽電池素子１６と裏面保護部材１７との間に位置する封止材１４、および裏面保護部材１７を、それぞれ透光性を有する材質で構成して、第２主面１１ｂ側からも光を受けることができる形態にしてもよい。
【００２５】  太陽電池素子１６は、例えば、単結晶シリコンまたは多結晶シリコン等からなる平板状の基板が用いられる。このようなシリコン基板を用いる場合は、上述したように、インナーリード１５で隣接するシリコン基板同士を電気的に接続すればよい。
【００２６】  また、太陽電池素子１６の種類は特に制限されない。例えば、太陽電池素子１６として、アモルファスシリコンよりなる薄膜太陽電池、ＣＩＧＳ太陽電池、ＣｄＴｅ太陽電池、または、結晶シリコン基板上に薄膜のアモルファスシリコンを形成した太陽電池素子１６等を用いてもよい。例えば、アモルファスシリコン、ＣＩＧＳおよびＣｄＴｅよりなる太陽電池素子１６としては、透光性基板１３上において、アモルファスシリコン層、ＣＩＧＳ層またはＣｄＴｅ層を透明電極等と組み合わせて適宜積層するようにしたものが利用できる。
【００２７】  また、端子ボックス１８は、例えば、変性ポリフェニレンエーテル樹脂（変性ＰＰＥ樹脂）またはポリフェニレンオキサイド樹脂（ＰＰＯ樹脂）の箱体と、この箱体内に配置されるターミナル板と、箱体の外部へ電力を導出する出力ケーブルとを備えている。
【００２８】  フレーム部材１２は、太陽電池パネル１１を保持する機能を有する。フレーム部材１２は、太陽電池パネル１１の周縁部を挿入する嵌合部１２ａと、太陽光を受光する側に位置するフレーム上面１２ｂと、フレーム上面１２ｂの裏面側に位置するフレームフランジ部１２ｃと、フレーム上面１２ｂおよびフレームフランジ部１２ｃを接続するフレーム側壁部１２ｄとを備えている。フレームフランジ部１２ｃは、フレーム側壁部１２ｄの下方から太陽電池モジュール１０の内側へ向けて張り出した板状の部分である。このようなフレーム部材１２は、例えばアルミニウムを押出成形すること等によって製造することができる。
【００２９】  本実施形態に係る水上用太陽電池装置１では、風などの影響で浮体３が傾くことによって、浮体３の下面３ｃ側の窪んだ部分（凹部３ｃ１）に余分な気体が入り込む。そして、浮体３の喫水が所定の位置よりも浅くなった際に、弁体４ａが上がることによって、凹部３ｃ１に入った気体を外部に排出できる。また、水上用太陽電池装置１では、図４に示すように、湖沼等から生じるガス等の気体が凹部３ｃ１に入ったとしても、凹部３ｃ１内の気圧が高まることによって、逆止弁４の弁体４ａが浮き上がる。このため、凹部３ｃ１内の気体を第１開口部３ｇから外部に排出することができる。これにより、本実施形態では、エアポンプ等の装置を不要にできて、不安定になった浮体３の喫水線の位置を正常な状態の位置に戻すことができる。その結果、本実施形態では、水上用太陽電池装置１の転覆等の発生を低減できるため、風などに対する安定性を高めることができる。
【００３０】  また、図５に示すように、太陽電池モジュール２が風にあおられて、水上用太陽電池装置１が持ち上げられた際に、貫通部３ｉ内の気体が水に引っ張られて気圧が低下する。一方、逆止弁４は、浮体３の上面３ｂ側から下面３ｃ側の空間に向けて貫通部３ｉ内を移動しようとする気体の動きを妨げる機構を有するため、貫通部３ｉ内の気圧が外気圧よりも低下することによって、逆止弁４（弁体４ａ）が第１開口部３ｇを塞ぐようになる。このような場合には、凹部３ｃ１内の水が、水上用太陽電池装置１と一緒に持ち上げられる力を受けることから、水上用太陽電池装置１の見かけの重量が大きくなる。これにより、本実施形態では、水上用太陽電池装置１が、強風等を受けても移動しにくくなるため、安定性を高めることができる。
【００３１】  このように、本実施形態では、浮体３の下面３ｃの凹部３ｃ１とつながる第１開口部３ｇに、＋Ｚ軸方向に沿って貫通部３ｉを通過する気体の移動を許容する。そして、−Ｚ軸方向に沿って貫通部３ｉを通過する気体の移動を妨げる逆止弁４を設けることよって、風などに対する安定性を高めることができる。また、本実施形態は、比較的簡素な構造であることから、メンテナンスの頻度を低減できる。
【００３２】  ＜＜第２実施形態＞＞  本実施形態に係る水上用太陽電池装置１は、下方に向かうに従って幅が小さくなる脚部３ｆ２を有する点で第１実施形態と相違する。
【００３３】  具体的には、図６に示すように、凹部３ｃの外周側に位置する側面３ｆに相当する部分が脚部３ｆ２になる。そして、この脚部３ｆ２は、該脚部３ｆ２内の中空部３ａのＸ軸方向の幅は、下方に向かうに従って小さくなっている。これにより、本実施形態では、図６（ａ）に示すように、水上用太陽電池装置１が水面Ｐに対して傾いたときには、浮体３の左右に位置する脚部３ｆ２の喫水線よりも下方側に位置する中空部３ａの容積の差が大きくなる。これにより、浮体３の左右に位置する脚部３ｆ２のうち、喫水が深い方の脚部３ｆ２の浮力が大きくなり、喫水が浅い方の脚部３ｆ２の浮力が小さくなる。このように、水上用太陽電池装置１の傾きが大きくなれば、左右の脚部３ｆ２における浮力の差が大きくなる。そのため、本実施形態では、水上用太陽電池装置１が傾いた状態から元の位置に戻るための力（復元力）が大きく働くため、速やかに図６（ｂ）に示す態様（元の位置）に復元しやすい。その結果、本実施形態では、風などの外力が発生しても、水上用太陽電池装置１を正常な位置に戻りやすいため、安定性をより高めることができる。
【００３４】  ＜＜第３実施形態＞＞  本実施形態に係る水上用太陽電池装置１は、浮体３の両端に連結部を有する点で第１実施形態および第２実施形態と相違する。具体的には、本実施形態では、複数の水上用太陽電池装置１を連結するための機構を備えている。
【００３５】  本実施形態において、浮体３は、図７（ａ）、（ｂ）に示すように、一方の側面３ｆから突出する第１連結部３ｆ３と、第１連結部３ｆ３の設けられた側と反対側の側面３ｆから突出する第２連結部３ｆ４とを有する。
【００３６】  第１連結部３ｆ３および第２連結部３ｆ４は、図８に示すように、同形の第１水上用太陽電池装置１Ａと第２水上用太陽電池装置１Ｂとを隣接して配置したときに、第１太陽電池装置１Ａの第１連結部３ｆ３を第２水上用太陽電池装置１Ｂの第２連結部３ｆ４の上に重ね合わせられる位置に設けている。そのため、第１連結部３ｆ３と第２連結部３ｆ４とでは、Ｚ軸方向の高さが異なっている。なお、第１連結部３ｆ３および第２連結部３ｆ４は、これらを重ね合せたときに互いに接触させてもよいが、これらの間に隙間があってもよい。
【００３７】  第１連結部３ｆ３および第２連結部３ｆ４は、それぞれＺ軸方向に貫通する第１連結孔３ｆ３１と第２連結孔３ｆ４２とを有している。第１連結孔３ｆ３１と第２連結孔３ｆ４２とは、第１連結部３ｆ３と第２連結部３ｆ４とを重ね合わせた際に連なるように設けられている。
【００３８】  第１連結孔３ｆ３１は、その内部の上方に位置する直径の大きい第１部分３ｆ３２と、下方に位置する直径の小さい第２部分３ｆ３３とを有する。そして、第１部分３ｆ３２と第２部分３ｆ３３との境目に段差部３ｆ３４を有する。また、第２連結孔３ｆ４は、第１連結孔３ｆ３１の第２部分３ｆ３３よりも小さな直径の丸孔であり、その内部に雌ネジ部３ｆ４３を有する。
【００３９】  また、図８に示すように、第１水上用太陽電池装置１Ａの第１連結孔３ｆ３と第２水上用太陽電池装置１Ｂの第２連結孔３ｆ４には、棒状の連結部材６が配置される。
【００４０】  図７（ｃ）に示すように、連結部材６は軸部６ａと、その一端に設けられた頭部６ｂと、他端に設けられた雄ネジ部６ｃとを有する。頭部６ｂは、第１連結孔３ｆ３１の第１部分３ｆ３２よりも小さな直径でかつ、第２部分３ｆ３３よりも大きな直径の円筒状の部分である。また、軸部６ａは、第１連結孔３ｆ３１と第２連結孔３ｆ３２とを重ね合わせたときに、第１連結孔３ｆ３１内の段差部３ｆ３４から第２連結孔３ｆ４２までの距離よりも長く、第１連結孔３ｆ３１の第２部分３ｆ３３よりも小さな直径を有する。雄ネジ部６ｃは、第２連結孔３ｆ４２内に設けられた雌ネジ部３ｆ４３に係合する。
【００４１】  これにより、波浪などで第１水上用太陽電池装置１Ａおよび第２水上用太陽電池装置１Ｂにピッチングやローリング等の揺れが生じた場合には、連結部材６の軸部６ａの長さの範囲でＺ軸方向の揺れを許容しつつ連結を維持することができる。また、本実施形態では、軸部６ａと第１連結孔３ｆ３１との間の隙間の範囲でＸ軸方向とＹ軸方向の揺れを許容しつつ連結を維持することもできる。このように、本実施形態では、各水上用太陽電池装置１が、それぞれピッチングまたはローリングの揺動が可能となるため、連結部材６に作用する力を低減できる。その結果、連結部材６が破損しにくくなる。
【００４２】  このような連結部材６は、浮体３と同様に水、紫外線および外力に対する強度をもつポリエチレン、ポリプロピレンまたはＦＲＰ（Fiber Reinforced Plastics、繊維強化プラスチック材料）等を用いて形成するとよい。
【００４３】  なお、本発明は上記実施形態に限定されるものではなく、本発明の範囲内で多くの修正および変更を加えることができる。例えば、逆止弁４は第１開口部３ｇに板状の弁体４ａを配置したものに限られるものではなく、第１開口部３ｇを丸孔とし、第１開口部３ｇをＺ軸方向に移動可能な球体または円錐を塞ぐ形態としてもよい。これにより、凹部３ｃ１の空気量が多くなり浮体３の喫水が浅くなっても、凹部３ｃ１内の気圧が上昇することで弁体４ａが浮き上がり、逆止弁４を介して凹部３ｃ１内の気体（空気）を外部に排出することができる。
【符号の説明】
【００４４】１：水上用太陽電池装置  １Ａ：第１水上用太陽電池装置  １Ｂ：第２水上用太陽電池装置２：太陽電池モジュール  ２ａ：下端側  ２ｂ：上端側３：浮体  ３ａ：中空部  ３ｂ：上面    ３ｂ１：第１上面    ３ｂ２：第２上面  ３ｃ：下面    ３ｃ１：凹部  ３ｄ：第１凸部  ３ｅ：第２凸部  ３ｆ：側面    ３ｆ１：鉤状部    ３ｆ２：脚部    ３ｆ３：第１連結部      ３ｆ３１：第１連結孔      ３ｆ３２：第１部分      ３ｆ３３：第２部分      ３ｆ３４：段差部    ３ｆ４：第２連結部      ３ｆ４２：第２連結孔      ３ｆ４３：雌ネジ部  ３ｇ：第１開口部  ３ｈ：第２開口部  ３ｉ：貫通部４：逆止弁  ４ａ：弁体  ４ｂ：固定部材５：係止部材６：連結部材  ６ａ：軸部  ６ｂ：頭部  ６ｃ：雄ネジ部１１：太陽電池パネル  １１ａ：第１主面  １１ｂ：第２主面１２：フレーム部材  １２ａ：嵌合部  １２ｂ：フレーム上面  １２ｃ：フレームフランジ部  １２ｄ：フレーム側壁部１３：透光性基板１４：封止材１５：インナーリード１６：太陽電池素子１７：裏面保護部材１８：端子ボックスＰ：水面
【図１】
0006517836.tif 000002
【図２】
0006517836.tif 000003
【図３】
0006517836.tif 000004
【図４】
0006517836.tif 000005
【図５】
0006517836.tif 000006
【図６】
0006517836.tif 000007
【図７】
0006517836.tif 000008
【図８】
0006517836.tif 000009